(57)【要約】【課題】キップ・ソーンらの空間ワームホールタイムマシンを完成版として実現させる。【解決手段】負のエネルギーのパルスの後の正のエネルギーのパルスを負の電極等で消費吸収させ負のエネルギーのパルスを作りワームホールを維持し特異点の発生は村松・矢羽田解で処理し従来のこれの製造の難点を解消して完成版に仕上げる。【解決手段】請求項１  に係る発明は以下の方法である。最初のワームホール建造時点より過去の時間に行くにはワームホールを揺すりその内部のウラシマ効果で過去に自然に出来たホワイトホールから大過去へ行く可能性もありそれは負のエネルギーやガンマ線バーストをそこで探す事で見つかり負のエネルギーはカシミール効果かレーザービームをニオブ酸リチウムの結晶と鏡を利用し負だけにし特異点の発生は村松・矢羽田解か定義多項式の変形によるものかブローアップで処理しその空間を時空の裏側に数学においての結び目や絡み目や組みひもや物理学においての世界線を編むという時空の組みひもで縫い合わせ従来の空間ワームホールタイムマシンの製造の難点四箇所をさらに詳しく解消して完成版５型に仕上げる。【選択図】図１
2013110946.tif 000002
【特許請求の範囲】
【請求項１】
に係る発明は以下の方法である。
ィ）大きな質量の物を一箇所に集めて空間を折り曲げくぼみを作る。
（ロ）そしてそれを時空の裏側に縫い合わせる事によってワームホールは完成するがその際の特異点の発生は村松・矢羽田解で処理する。
（ハ）さらにワームホールを維持するためには負のエネルギーパルスの後の正のエネルギーパルスを負の電極等で消費吸収させ負のエネルギーパルスだけを作ることで維持する。
以上の如く論理で導かれる完成版空間ワームホールタイムマシン。なおタイムパラドックスは多世界解釈によって解消される。
【発明の詳細な説明】
【技術分野】
【０００１】本発明は、完成した空間ワームホールタイムマシン型に関する。
【背景技術】
【０００２】従来の、キップ・ソーンらの発表した空間ワームホールタイムマシンには特異点の処理やワームホールの維持ができてなかった。（例えば非特許文献２参照。）。【０００３】従来のワームホールタイムマシンについては特許文献１がある。この文献は［課題］キップ・ソーンらの空間ワームホールタイムマシンを完成版として実現させる。
［解決手段］負のエネルギーのパルスの後の正のエネルギーのパルスを負の電極等で消費吸収させ負のエネルギーのパルスを作りワームホールを維持し特異点の発生は村松・矢羽田解で処理し従来のこれの製造の難点を解消して完成版に仕上げる。
【先行技術文献】
【特許文献】
【非特許文献１】「タイムマシンをつくろう」、ポール・ディビス、草思社、２００３年６月２４日、１２１頁から１３３頁
【非特許文献２】「図解雑学タイムマシン」２００３年１１月５日、ナツメ社、１４２頁から１４３頁、福江純
【非特許文献３】「数学セミナー」２００３年１２月号、日本評論社、４４頁から４７頁
【発明の概要】
【発明が解決しようとする課題】
【０００４】従来、キップ・ソーンらの発表した空間ワームホールタイムマシン製造にはくぼみを作り時空の裏側に縫い合わせる際に特異点が発生しそれを処理できずまたワームホールを維持するための負のエネルギーだけを作ることができていなかった。
【課題を解決するための手段】
【０００５】特異点を定義多項式かブローアップで処理し負のエネルギーだけにするにはレーザービームをニオブ酸リチウムの結晶に通し鏡を利用し光線の正と負の成分は小さく分離するだろうし反射システムをもっと離せば負の部分だけでまたはカシミール効果で負だけにする。
【解決手段】
請求項１  に係る発明は以下の方法である。
ィ）大きな質量の物を一箇所に集めて空間を折り曲げくぼみを作る。
（ロ）そしてそれを時空の裏側に縫い合わせる事によってワームホールは完成するがその際の特異点の発生は村松・矢羽田解で処理する。
（ハ）さらにワームホールを維持するためには負のエネルギーパルスの後の正のエネルギーパルスを負の電極等で消費吸収させ負のエネルギーパルスだけを作ることで維持する。
以上の如く論理で導かれる完成版空間ワームホールタイムマシン。なおタイムパラドックスは多世界解釈によって解消される。下記参照。
資材においては、ガス（１）（１）燃料の一部として設ける、油（１）（１）燃料の一部として設ける、磁石（磁力）（２）外層部にて設ける、ホバー（原理）（２）外層部にて設ける、無重力調整装置（２）内層部にて設ける、セラミック（２）材質の一部として設ける、ミニエフェクトファン（２）外層部にて設ける、電気発生装置（１）（２）燃料の一部として設ける、ソーラーエネルギー（１）燃料の一部として設ける、プルトニュウム（１）燃料の一部として設ける、ダイヤモンド（１）（２）材質の一部として設ける、硬質ボード（２）（１）材質の一部として設ける、キセノン（２）（１）発光要素として設ける、ＨＩＤ（２）（１）発光要素として設ける、レアメタル（１）（２）材質の一部として設ける、アルミ（１）（２）材質の一部として設ける、糸（１）（２）内層部及び外層部にて設ける、ワイヤー（１）（２）内層部と外層部にて設ける、バッテリーバックアップ（１）内層部にて設ける、ＧＰＳ（１）内層部から外層部にて設ける、ＨＤＤ（１）内層部にて設ける、プラグ（１）内層部に設ける、エアサス（２）内層部に設ける、ショックアブソーバー（１）内層部に設ける、コンピューター（１）内層部に設ける、グリス（１）（２）機器類に使用、こま（１）内層部に設ける、プラ（１）（２）材質の一部として設ける、ヒューズ（１）（２）内層部に設ける、小型吸引装置（１）内層部にて設ける、エアロバス次世代エンジンＡ３２０ＮＥＯ（ＩＨＩ参加型）（１）（２）内層部に設ける、アンテナ（１）内層部に設ける、タイヤ（１）外層部に設ける、太陽光発電（１）外層部にて設ける、木（１）（２）材質の一部として設ける、ナビ（１）表層部に設ける、スキャナー（１）表層部に設ける、光ファイバー（１）内層部に設ける、３次元レーダー（１）表層部にて設ける、Ｘ腺自由電子ビーム（２）内層部にて設ける、万能翻訳機（１）内層部にて設ける、小型酸素タンク（１）外層部にて設ける、発電素子（１）内層部にて設ける、ポリ３ヘキシルチオフェン（１）（２）内層部に設ける、ヘッドホンステレオ（１）内層部に設ける、ラジオサーバー（１）（２）内層部に設ける、エクスワード（１）（２）内層部に設ける、リチウムイオン電池（１）（２）内層部にて設ける、小型発電機（１）（２）内層部にて設ける、ねじ（１）（２）必要接着に設ける、スピンドル（１）（２）内層部に設ける、小型圧縮機械（１）内層部に設ける、油圧機械（１）（２）内層部にて設ける、マイクロモーター（１）内層部にて設ける、ランタン（１）外層部にて設ける、セリウム（１）開発に使用する、クレーン（１）内層部にて設ける、ハイブリット（１）（２）内層部にて設ける、ＥＶ（１）（２）内層部にて設ける、宝石（１）（２）材質の一部として設ける、グラス（１）（２）材質の一部として設ける、遠赤外線（１）（２）材質の一部として設ける、コーティングリアウォール（１）（２）外層部にて設ける、廃棄ダクトチャンバー（１）外層部にて設ける、廃棄冷却器（１）外層部に設ける、バルブ（１）（２）外層部に設ける、圧縮機（１）（２）内層部に設ける、ハンギングバー（１）内層部に設ける、圧力弁（１）（２）外層部に設ける、バスケット（１）内層部に設ける、ワークサーフェスモジュール（１）内層部に設ける、振動監視（１）内層部に設ける、アクティブカーボンフィルター（１）（２）内層部に設ける、エアーフィルター（１）（２）内層部に設ける、電力盤（１）（２）表層部に設ける、スチームトラップ（１）（２）外層部に設ける、フランジ（１）（２）内層部に設ける、サーモスタット（１）（２）内層部に設ける、電磁コイル（１）（２）内層部に設ける、ベベルギア（１）内層部に設ける、ポンプ（１）外層部に設ける、タービン（１）（２）表層部に設ける、カッター（１）糸関係に使用、ハンドル（１）（２）外層部にて設ける、フォーク（１）外層部に設ける、リフト（１）外層部に設ける、クランプ（１）内層部に設ける、液体窒素（１）（２）燃料の一部として設ける、ＲＩ（１）（２）燃料の一部として設ける、燃料電池（１）（２）燃料の一部として設ける、ニトロ（１）（２）燃料の一部として設ける、メタル（１）（２）材質の一部として使用、タワーバー（１）（２）内層部にて設ける、車高調整（１）機器間接部分にて設ける、タイマーメーター（２）（１）表層部にて設ける、ＡＢＳ（１）（２）内層部にて設ける、Ｉサイト（１）（２）内層部にて設ける、オートマ（１）（２）外層部にて設ける、、カーボン（１）（２）材質の一部として設ける、エアロ（１）（２）外層部にて設ける、ディスク（１）（２）内層部にて設ける、ドラム（１）（２）内層部にて設ける、スポイラー（１）（２）外層部にて設ける、パテ（１）（２）製造時使用、スプレー（１）（２）製造時使用、やすり（１）（２）製造時使用、コーティング（１）（２）製造時使用、メタンハイドレート（１）（２）燃料の一部として設ける、ユジノタンベイ（１）表層部にて設ける、ブレーンマシーンインターフェイス（１）内層部にて設ける、ＴＮＰ２７（１）（２）内層部にて設ける、ＯＳ（２）（１）内層部にて設ける、エコナビ（２）（１）表層部にて設ける、掃除ロボ（１）一部機能集約して設ける、バックモニター（２）（１）表層部にて設ける、マフラーカッター（１）（１）外層部にて設ける、メモリーナビ（２）（１）表層部にて設ける、マイセン（１）材質の一部として設ける、ウェーブミュージックシステムサウンドリンク（１）（２）表層部にて設ける、モバイルワイフィルター（１）（２）内層部にて設ける、ＢＦ０１Ｂ（１）（２）内層部にて設ける、ＭＤシステム（１）外層部にて設ける、メモリーカード（１）外層部にて設ける、半導体メモリー（１）内層部にて設ける、ＤＲＡＭ内層部にて設ける、新モーター（１）（１）内層部にて設ける、アルミ板（１）（２）材質の一部にて設ける、再生鉛バッテリー（１）（２）内層部にて設ける、新スチール（１）（２）材質の一部分として設ける、グラスファイバー（１）（２）材質の一部として設ける、コイン（１）（２）材質の一部として設ける、ホヤ製高性能レンズ（１）（２）内層部にて設ける、超小型補聴器（１）（２）内層部にて設ける、一人乗り飛行装置モデルとして取り入れる、ガソリン（１）（２）燃料の一部として設ける、軽油（１）（２）燃料の一部として設ける、重油（１）（２）燃料の一部として設ける、ボイラー（１）外層部にて設ける、危険物（１）（２）燃料の一部として設ける、ヒートポンプ（１）（２）外層部にて設ける、カメラ（１）（２）内層部にて設ける、時計（１）（２）表層部にて設けるなどが挙げられる。
仕組みにおいては
噴出口は様々（１）表層部にて設ける、（１）万能無線携帯（１）最新式にて外層部に設ける、最新小型無線端末か携帯端末か携帯無線か（２）外層部にて設ける、アライメント（１）（２）製造時に設ける、小型系（１）（２）資材を設ける、遠心力（１）（２）製造時に関係機器類に設ける、風力（１）（２）製造時に関係機器類に設ける、水力（１）（２）製造時に関係機器類に設ける、火力（１）（２）製造時に関係機器類に設ける、カセット式（１）（２）表層部に設ける、ＦＤ式（１）（２）内層部に設ける、新型端末（１）（２）開発しだい設ける、カラー（１）（２）製造時に使用、（１）内層部にて設ける、火（１）（２）（３）燃焼に使用、水（１）（２）（３）冷却に使用、エアー（１）（２）（３）圧縮に使用、氷（１）（２）（３）冷却に使用、人口設備（１）（２）性能向上に各機器に設ける、可燃ガス（１）（２）燃料の一部として設ける、不燃ガス（１）（２）燃料の一部として設ける、真空（１）（２）高活性のために機器に設ける、吸収（１）（２）爆発防止のため機器に設ける、蒸気（１）（２）暴発処理のため機器に設ける、ＮＥＤＯ（１）（２）開発向上のため開発費に設ける、ＦＸ（１）（２）参考モデルにする、Ｆ３５（１）（２）参考モデルにする、ステルス（１）（２）参考モデルにする、ＮＤＳ１０００（１）（２）参考モデルにする、両輪（１）外層部にて設ける、弾（１）（２）表層部にて設ける、グリーンニューディール（１）（２）参考モデルにする、ファルコン９（１）（２）参考モデルにする、スマートＩＣ（１）（２）参考モデルにする、ユーロファイター（１）（２）参考モデルにする、ＦＳＸ（１）（２）参考モデルにする、スポイ３０（１）（２）参考モデルにする、ＡＷＡＣＳ（１）（２）参考モデルにする、空中空輸付き（１）（２）参考モデルにする、ＰＡＫＦＡ（１）（２）参考モデルにする、加工技術（１）（２）製造時使用、プロトタイプ（１）参考モデル、四駆（１）内層部にて設ける、高クウオリティージョブ型（Ｋ１）、新型資材（１）（２）必要しだい設ける、既存パーツ全型種類使用（１）（２）必要しだい設ける、先端技術タイプ（１）（２）開発しだい設ける、リニア駆動（１）中層部にて設ける（１）内層部にて設ける、ブースト（１）（２）表層部にて設ける、ＯＯ加速装置（１）（２）表層部にて設ける、影絵（１）変形のモデルにする、省エネ（１）（２）各機器類に設ける、創エネ（１）（２）各機器類に設ける、蓄エネ（１）（２）各機器類に設ける、オービス付き（１）表層部にて設ける、トラック（１）（２）参考モデルにする、モノレール（１）（２）参考モデルにする、ロケット（１）（２）参考モデルにする、セキュリティ（１）（２）外層部に設ける、３Ｄ（１）機能を表層部に設ける、甲冑（１）参考モデルにする、おもちゃ（１）（２）名称の一部に設ける、超電導（１）（２）内層部にて設ける（１）内層部にて設ける、ＨＴＢ（１）（２）参考モデルにする、Ｈ２Ｂ（１）（２）参考モデルにする、ＩＳＳ（１）（２）参考モデルにする、Ｃ９１９（１）（２）参考モデルにする、ＡＲＪＡ（１）（２）参考モデルにする、最新型機能（１）（２）開発しだい設けられる、インホイールモーター（１）（２）内層部にて設ける、衛星（１）（２）参考モデルにする、アポロ１１号（１）（２）参考モデルにする、新型ＰＳＰ（２）（１）内層部にて設ける、新型ＤＳ（２）（１）内層部にて設ける、新型モバイルタブレット（２）（１）外層部にて設ける、新型新端末新タブレット（２）（１）内層部にて設ける、（ＵＦＯ、パラシュート、映画、スタッフ、演出者、監督、歌手、声優、）などが挙げられる。
※表記されている中の機材をいくつか使うことにより開発を行う。
※一部設計を改造して行うこともある。
【発明の効果】
【０００６】人間が通るタイムトラベルのための空間ワームホールタイムマシン製造が可能となる。
【図面の簡単な説明】
【０００７】
【図１】
【発明を実施するための形態】
【０００８】（Ａ）ワームホールについて以下の方法が挙げられる
＜１＞完成版空間ワームホール１
キップ・ソーンらの空間ワームホールタイムマシンを完成版として実現させる。
負のエネルギーのパルスの後の正のエネルギーのパルスを負の電極等で消費吸収させ負のエネルギーのパルスを作りワームホールを維持し特異点の発生は村松・矢羽田解で処理し従来のこれの製造の難点を解消して完成版に仕上げる。
（Ｂ）次に、ワームホールを併用する方法も有力である。かかる飛行推進装置としては以下の方法が挙げられる。
＜１＞完成版空間ワームホール２
キップ・ソーンらの空間ワームホールタイムマシンを完成版２として実現させる。
負のエネルギーはカシミール効果かレーザービームをニオブ酸リチウムの結晶と鏡を利用し負だけにし特異点の発生は定義多項式の変形によるものかブローアップで処理し従来の空間ワームホールタイムマシンの製造の難点二箇所を解消して完成版２型に仕上げる。
＜２＞完成版空間ワームホール３
キップ・ソーンらの空間ワームホールタイムマシンを完成版３として実現させる。
負のエネルギーはカシミール効果かレーザービームをニオブ酸リチウムの結晶と鏡を利用し負だけにし特異点の発生は村松・矢羽田解か定義多項式の変形によるものかブローアップで処理しその空間を時空の裏側に数学においての結び目や絡み目や組みひもで縫い合わせ従来の空間ワームホールタイムマシンの製造の難点三箇所を解消して完成版３型に仕上げる。
＜３＞完成版空間ワームホール４
キップ・ソーンらの空間ワームホールタイムマシンを完成版４として実現させる。
最初のワームホール建造時点より過去の時間に行くにはワームホールを揺すりその内部のウラシマ効果で過去に自然に出来たホワイトホールから大過去へ行く可能性もあり負のエネルギーはカシミール効果かレーザービームをニオブ酸リチウムの結晶と鏡を利用し負だけにし特異点の発生は村松・矢羽田解か定義多項式の変形によるものかブローアップで処理しその空間を時空の裏側に数学においての結び目や絡み目や組みひもで縫い合わせ従来の空間ワームホールタイムマシンの製造の難点四箇所を解消して完成版４型に仕上げる。
＜４＞完成版空間ワームホール５
キップ・ソーンらの空間ワームホールタイムマシンを完成版５として実現させる。
最初のワームホール建造時点より過去の時間に行くにはワームホールを揺すりその内部のウラシマ効果で過去に自然に出来たホワイトホールから大過去へ行く可能性もありそれは負のエネルギーやガンマ線バーストをそこで探す事で見つかり負のエネルギーはカシミール効果かレーザービームをニオブ酸リチウムの結晶と鏡を利用し負だけにし特異点の発生は村松・矢羽田解か定義多項式の変形によるものかブローアップで処理しその空間を時空の裏側に数学においての結び目や絡み目や組みひもや物理学においての世界線を編むという時空の組みひもで縫い合わせ従来の空間ワームホールタイムマシンの製造の難点四箇所をさらに詳しく解消して完成版５型に仕上げる。
＜５＞完成版空間ワームホール６
ＬＨＣワームホールタイムマシンとなる縮小型を提供する。
ＬＨＣを脳しわ、大腸、渦巻き型に縮小して技術的に狭い土地で低コストで未来強エネルギー過去弱エネルギーワームホールタイムマシン製造を実現する。
＜６＞完成版空間ワームホール７
各時代出入り口の時空地図測量と作成および情報収集を行う。
ワームホールを通ってホワイトホールから各時代に出て４次元測量をし映像や音声で情報収集をしホワイトホールから同時に出る光のガンマ線バーストがワームホールなのでそれで現代に戻り時空地図作成、情報収集作成、各時代時空出入り口印作成を可能とする。
＜７＞完成版空間ワームホール８
負のエネルギーのパルスだけを取り出し裸の特異点（未来）を長時間見られ空間ワームホールタイムマシンも造る。
負のエネルギーのパルスの後の正のエネルギーのパルスを負の電極等で消費吸収させ負のエネルギーのパルスを人工ミニブラックホールに打ち込む。さらにそれは空間ワームホールタイムマシン造るのにも利用応用できる。
＜８＞完成版空間ワームホール９
従来のタイムマシン理論のワームホールは現代科学水準では造れずタイムトラベルは不可能だった。
一般相対性理論を応用した重力を加速度運動で作り出し、その重力空間では時間の進み方が遅れるのを利用して重力の強弱で未来過去の特定時間を調節し重力空間から一般空間に出ると未来、一般空間から重力空間に入ると過去に着くことを可能とした。
１、エネルギーを用いた駆動を実施できる
ガス、油、磁石（磁力）、ソーラーエネルギー、プルトニュウム、発電素子、ポリ３ヘキシルチオフェン、リチウムイオン電池、セリウム、液体窒素、ＲＩ、燃料電池、ニトロ、ガソリン、軽油、重油、危険物を使用して
２、機器を用いた駆動を実施できる
超重力調整装置、超電磁、超伝導、ホワイトホール、電気発生装置、小型吸引装置、太陽光発電、小型発電機、小型圧縮機械、油圧機械、遠赤外線、廃棄冷却器、圧縮機、振動監視、電力盤、エアロバス次世代エンジンをＡ３２０ＮＥＯ（ＩＨＩ参加型）クレーン、ハイブリット、ＥＶ、ボイラー、ヒートポンプ、を使用して
３、器具を用いた駆動を実施できる
上記請求項１項目を参照。
４、仕組みについては
上記請求項１項目を参照。
５、マニュアルにつては
上記請求項１項目を参照。
２、超常現象について考えられる項目
バミューダ三角地帯、地底、海底、ブラックホール、ホワイトホール、時点、公転、光速、宇宙遊泳、火山、大気、ワームホール、ブロッケン現象、オーロラ、虹、雪、雨、雹、あられ、みぞれ、霧、ハイドロプレーニング現象、オゾンホール、つなみ、竜巻、台風、しんきろう、テレパシー、予知、透視念力、霊能力、例会通信、霊媒、交霊会、ホーンティング、幽霊、幽霊屋敷、心理現象、ポルターガイスト、妖精、天使、予知夢、ドッペルゲンガー、憑依、呪い、火星効果、火の玉、ウイルオウイスプ、人魂、鬼火、狐火、玉電、人体自然発火現象、電気人間、ＵＦＯ、地球外生命体、タイムスリップ、形態因果作用、臨死体験、転生、ゼノグロッシア、ファフロキーズ、シンクロニティ、妖怪、風、オーバーホール、高性能レーダー、クォーク・グールオン・プラズマ、核のビーム、カシミール効果、
３，ワームホール発生計算式
ｄｓ２＝−ｃ２ｄｔ２＋ｄｌ２＋（ｋ２＋ｌ２）（ｄθ２＋ｓｉｎ２θｄφ２）
【図１】
2013110946.tif 000003
【手続補正書】
【提出日】平成24年2月3日(2012.2.3)
【手続補正２】
【補正対象書類名】明細書
【補正対象項目名】０００７
【補正方法】変更
【補正の内容】
【０００７】
【図１】図の２に記載する所については、中央制御装置（ＴＳＳ装置）  図の１に記載するところについては、外部制御装置（ＰＫＳ装置）  図の３に記載するところについては、亜空間空洞装置（ＷＨＳ装置）  図の３に記載するところについては、大型資材ミキシング装置（ＫＮ装置）  図の２に記載するところについては、油ミキシング装置（ＡＭ装置）  図の１に記載するところについては、自動軽量装置（ＺＫ装置）